(57)【要約】【課題】水平面に対する角度を変えて板状物を見やすく陳列することができる板状物陳列用保持具を提供する。【解決手段】陳列棚に水平に取り付けられた支持ビームに対し前方に突き出すように複数の板状物保持棒１０が装着され、複数の板状物保持棒１０の上に板状物を載置して保持する板状物陳列用保持具である。板状物保持棒１０の先端に先端支持部１２が設けられると共に、板状物保持棒の末端に係止基部１３が設けられる。係止基部１３には略フック形状で下向きに開口した嵌合部が設けられ、嵌合部は、板状物保持棒１０が水平面に対する複数の傾斜角度で支持ビームに係止可能に形成されている。【選択図】図１
2004049400.tif 000002
【特許請求の範囲】
【請求項１】
陳列什器に水平に取り付けられた支持ビームに対し前方に突き出すように複数の板状物保持棒が装着され、該複数の板状物保持棒の上に板状物を載置して保持する板状物陳列用保持具であって、
該板状物保持棒の先端に先端支持部が設けられると共に、該板状物保持棒の末端に係止基部が設けられ、該係止基部には略フック形状で下向きに開口した嵌合部が設けられ、該嵌合部は、該板状物保持棒が水平面に対する複数の傾斜角度で前記支持ビームに係止可能に形成されていることを特徴とする板状物陳列用保持具。
【請求項２】
陳列什器に水平に取り付けられた支持ビームに対し前方に傾斜して板状物保持枠が装着され、該板状物保持枠に板状物を保持させる板状物陳列用保持具であって、
該板状物保持枠の末端に係止基部が設けられ、該係止基部には略フック形状で下向きに開口した嵌合部が設けられ、該嵌合部は、該板状物保持枠が水平面に対する複数の傾斜角度で前記支持ビームに係止可能に形成されていることを特徴とする板状物陳列用保持具。
【請求項３】
前記係止基部の両側に側板が設けられ、該側板に前記複数の嵌合部が水平面に対する角度を変えて形成されたことを特徴とする請求項１または２記載の板状物陳列用保持具。
【発明の詳細な説明】
【０００１】
【発明の属する技術分野】
本発明は、商品を陳列する陳列什器において、その支柱などに取り付けた横方向の支持ビームに、係止して使用され、テーブル天板のような比較的大形の板状物或いは商品情報を記した板状物を、その平面を見せながら、水平面に対する角度を変えて陳列することができる板状物陳列用保持具に関する。
【０００２】
【従来の技術】
従来、商品陳列什器にテーブル天板のような比較的大形の板状物を陳列する場合、通常、収納枠内等に立てて並設した状態で陳列しているが、この陳列方法では、板状物を横に重ねて配置することになるために、顧客からはテーブル天板の平面が見にくいという課題があった。
【０００３】
【発明が解決しようとする課題】
そこで、陳列什器の支柱間に、支持ビームを横方向に取り付け、その支持ビームに枠状棚を取り付け、或いはその支持ビームに複数のフックバーの元部を固定し、その枠状棚上にまたはフックバーの上に、テーブル天板を載置して陳列することが行われている。しかし、この枠状棚やフックバーは、支持ビームに対し、所定の角度で固定されるため、水平面に対する板状物の載置する角度が一定の角度に固定され、顧客に対して見やすい角度で板状物を陳列することができにくいという課題がった。
【０００４】
本発明は、上述の課題を解決するものであり、水平面に対する角度を変えて板状物を見やすく陳列することができる板状物陳列用保持具を提供することを目的とする。
【０００５】
【課題を解決するための手段】
上記目的を達成するために、本発明の請求項１の板状物陳列用保持具は、陳列什器に水平に取り付けられた支持ビームに対し前方に突き出すように複数の板状物保持棒が装着され、複数の板状物保持棒の上に板状物を載置して保持する板状物陳列用保持具であって、板状物保持棒の先端に先端支持部が設けられると共に、板状物保持棒の末端に係止基部が設けられ、係止基部には略フック形状で下向きに開口した嵌合部が設けられ、嵌合部は、板状物保持棒が水平面に対する複数の傾斜角度で支持ビームに係止可能に形成されていることを特徴とする。
【０００６】
また、請求項２の板状物陳列用保持具は、陳列什器に水平に取り付けられた支持ビームに対し前方に傾斜して板状物保持枠が装着され、板状物保持枠に板状物を保持させる板状物陳列用保持具であって、板状物保持枠の末端に係止基部が設けられ、係止基部には略フック形状で下向きに開口した嵌合部が設けられ、嵌合部は、板状物保持枠が水平面に対する複数の傾斜角度で前記支持ビームに係止可能に形成されていることを特徴とする。
【０００７】
ここで、上記係止基部の両側に側板を設け、その側板に前記複数の嵌合部を、水平面に対する角度を変えて形成することができる。
【０００８】
【作用】
上記構成の板状物陳列用保持具は、陳列什器の支柱間に水平に取り付けられた支持ビームに対し、前方に突き出すように、複数の板状物保持棒を取り付けて使用される。１個の板状物に対し、例えば一対の板状物保持棒を、適当な間隔をあけて支持ビームに、その係止基部を係止して取り付ける。そして、その一対の板状物保持棒の上に、テーブル天板などの板状物を載置して使用する。
【０００９】
このような板状物陳列用保持具は、１種類の板状物保持棒を製造するのみで良いため、低コストで製造することができる。また、板状物保持棒を支持ビームに係止する係止基部には、略フック形状で下向きに開口した嵌合部が設けられ、嵌合部は、板状物保持棒が水平面に対する複数の傾斜角度で支持ビームに係止可能に形成されているから、板状物保持棒を支持ビームに装着する際、１種類の板状物保持棒であっても、使用者はその保持棒を装着する高さ位置に応じて、例えば、高さが高い位置では板状物保持棒の水平面に対する傾斜角度を大きくして装着し、高さが低い位置では保持棒の傾斜角度を小さくして装着するようにして、顧客が見やすい角度で板状物を陳列することができる。
【００１０】
【発明の実施の形態】
以下、本発明の一実施形態を図面に基づいて説明する。図１は板状物陳列用保持具１に使用される板状物保持棒１０の左側面図を示し、図２はその正面図を示している。この板状物陳列用保持具１は、１対の板状物保持棒１０、１０から構成され、板状物保持棒１０は、金属パイプで形成された保持棒１１の先端に、先端支持部１２を固定し、保持棒１１の末端に、係止基部１３を固定して構成される。
【００１１】
係止基部１３は、金属板を所定の形状に裁断し、曲折して形成される。つまり、係止基部１３は、取付板１３ａとなる矩形部を中心に、左右両側の側板１３ｂ、１３ｂを背面側に直角に曲げ、さらに、上面板と下面板１３ｃを背面側に曲げて形成され、矩形の取付板１３ａの上部が、保持棒１１の末端部に溶接により固定される。両側の側板１３ｂ、１３ｂは、下向きに開口した開口凹部を持って形成され、後述する矩形断面を持つ角パイプの支持ビーム３と嵌合する３個の第一嵌合部Ｋ１、第二嵌合部Ｋ２、第三嵌合部Ｋ３が形成される。
【００１２】
すなわち、両側の側板１３ｂ、１３ｂは、下方に開口したフック形状に形成され、その側板１３ｂ、１３ｂの内側に３個の第一嵌合部Ｋ１、第二嵌合部Ｋ２、第三嵌合部Ｋ３が、各々その角度を変えて、矩形断面の支持ビーム３を保持する部分を持つように形成される。
【００１３】
つまり、第一嵌合部Ｋ１は、図６に示すように、支持ビーム３を保持棒１１の軸方向に対し、例えば角度１５度の傾斜角度で嵌合保持するように、矩形凹部をその角度に形成して構成される。この第一嵌合部Ｋ１に支持ビーム３を挿入した場合、図６のように、支持ビーム３の上面と正面及び背面の一部が当接する部分がその第一嵌合部Ｋ１に形成される。
【００１４】
さらに、両側の側板１３ｂ、１３ｂ内には、第二嵌合部Ｋ２が、図７に示すように、支持ビーム３を保持棒１１の軸方向に対し、例えば角度３０度の傾斜角度で嵌合保持するように、矩形凹部をその角度に形成して構成される。この第二嵌合部Ｋ２は、上記の第一嵌合部Ｋ１と一部で重なり合って形成され、第二嵌合部Ｋ２に支持ビーム３を挿入した場合、図７のように、支持ビーム３の上面の一部と正面の一部及び背面の一部が当接する部分がその第二嵌合部Ｋ２に形成される。つまり、支持ビーム３の上後角部が係合する角部係合部が第二嵌合部Ｋ２に形成され、さらに、支持ビーム３の正面の一部が当接する部分が形成されることにより、支持ビーム３に対しこの板状物保持棒１０が３０度の傾斜角で保持されるようにしている。
【００１５】
同様に、両側の側板１３ｂ、１３ｂ内には、第三嵌合部Ｋ３が、図８に示すように、支持ビーム３を保持棒１１の軸方向に対し、例えば角度４５度の傾斜角度で嵌合保持するように、矩形凹部をその角度に形成して構成される。この第三嵌合部Ｋ３は、上記の第一、第二嵌合部と一部で重なり合って形成され、第三嵌合部Ｋ３に支持ビーム３を挿入した場合、図８のように、支持ビーム３の上面の一部と正面の一部及び背面の一部が当接する部分が、その第三嵌合部Ｋ３に形成される。つまり、支持ビーム３の上後角部が係合される角部係合部が第三嵌合部Ｋ３に形成され、さらに、支持ビーム３の正面の一部が当接する部分が形成されることにより、支持ビーム３に対しこの板状物保持棒１０が４５度の傾斜角で保持されるようにしている。
【００１６】
係止基部１３の下面の下面板１３ｃには、ねじ孔が穿設され、そのねじ孔に固定ねじ６がねじ込まれる。固定ねじ６は係止基部１３の下側開口部から相対的に挿入された支持ビーム３の底面をねじの先端で押えて、支持ビーム３を相対的に固定する。
【００１７】
このように構成された板状物保持棒１０は、図５に示すように、２本一対で一つの板状物陳列用保持具１として使用され、陳列什器の支持ビーム３に取り付けて、テーブル天板などの板状物Ｂを陳列用に保持するために使用される。
【００１８】
陳列什器の支柱２と支柱２間に、支持ビーム３が水平方向に固定される。この支持ビーム３に対し一対の板状物保持棒１０を任意の間隔で取り付けるが、この場合、板状物保持棒１０の係止基部１３の固定ねじ６を緩めた状態として、係止基部１３の凹状の嵌合部内に支持ビーム３を挿入するように、係止基部１３を支持ビーム３にその上から嵌め合わせれば、簡単に取り付けることができる。
【００１９】
この場合、板状物保持棒１０の取付角度は、例えば１５度、３０度、４５度の中から選択して決めることができ、例えば図４に示すように、陳列什器の最下段に板状物保持棒１０を取り付けるために、水平に対し１５度の傾斜角度で取り付ける場合、図６のように、板状物保持棒１０の係止基部１３内の第一嵌合部Ｋ１に支持ビーム３を挿入するように、フック状の係止基部１３の凹部を支持ビーム３に係止する。そして、固定ねじ６を締め付けて支持ビーム３の底面をねじの先端で押して固定する。これにより、図６に示すごとく、板状物保持棒１０はその末端の係止基部１３によって支持ビーム３に対し確実に係止され、取り付けられる。板状物保持棒１０にかかる下方への荷重は、図６のように、第一嵌合部Ｋ１に嵌め込まれた支持ビーム３の上面と正面及び背面の一部が当接する部分で確実に保持される。
【００２０】
一方、図４に示すように、陳列什器の中段に板状物保持棒１０を取り付けるために、水平に対し例えば３０度の傾斜角度で取り付ける場合、図７のように、板状物保持棒１０の係止基部１３内の第二嵌合部Ｋ２に支持ビーム３を挿入するように、フック状の係止基部１３の凹部を支持ビーム３に係止する。そして、固定ねじ６を締め付けて支持ビーム３の底面をねじの先端で押して固定する。これにより、図７に示すごとく、板状物保持棒１０はその末端の係止基部１３によって支持ビーム３に対し確実に係止され取り付けられる。板状物保持棒１０にかかる下方への荷重は、図７のように、第二嵌合部Ｋ２に嵌め込まれた支持ビーム３の上面と正面及び背面の一部が当接する部分で確実に保持される。
【００２１】
また、図４に示すように、陳列什器の上段に板状物保持棒１０を取り付けるために、水平に対し例えば４５度の傾斜角度で取り付ける場合、図８のように、板状物保持棒１０の係止基部１３内の第三嵌合部Ｋ３に支持ビーム３を挿入するように、フック状の係止基部１３の凹部を支持ビーム３に係止する。つまり、支持ビーム３の上後角部を第三嵌合部Ｋ３の係合角部で係合し、支持ビーム３の正面側の一部を係合保持するようにする。そして、固定ねじ６を締め付けて支持ビーム３の底面をねじの先端で押して固定する。これにより、図８に示すごとく、板状物保持棒１０はその末端の係止基部１３によって支持ビーム３に対し確実に係止され取り付けられる。板状物保持棒１０にかかる下方への荷重は、図８のように、第三嵌合部Ｋ３に嵌め込まれた支持ビーム３の上面と正面及び背面の一部が当接する部分で確実に保持される。
【００２２】
このような板状物保持棒１０の陳列什器の支持ビーム３に対する取り付けは、板状物Ｂの幅に合わせて、一対または複数対の保持棒１０を適当な間隔をあけて係止することにより行われる。テーブル天板などの板状物Ｂは、図５のように、一対の板状物保持棒１０の上に載置される。保持棒１０はその先端が前方下方に傾斜しているが、先端支持部１２によって板状物Ｂが前部で支持されるから、落下する虞はなく安定して安全に載置することができる。
【００２３】
このように、陳列什器に取り付ける板状物保持棒１０の高さ位置に応じて、板状物保持棒１０の取付角度を、複数の角度から選択して簡単にその角度に取り付けることができ、図４に示すように、陳列什器の低い位置に板状物陳列用保持具１を取り付ける場合は、水平に対する角度を小さくし、高い位置に板状物陳列用保持具１を取り付ける場合は、水平に対する角度を大きくして、顧客に見やすくテーブル天板などの板状物を陳列することができる。
【００２４】
図９〜図１２は他の実施形態の板状物陳列用保持具を示している。この例の板状物陳列用保持具は、陳列什器の棚に載置された商品の情報、例えばその商品の使い方、扱い方、組み立て方などの情報を記載した商品情報パネルＰを、その陳列什器の上部に前方の斜め下方に向けて表示するものである。商品情報パネルＰは板状物保持枠２０内に保持され、その表示角度は変更可能とされる。
【００２５】
板状物保持枠２０は、平面視でコ字形の上枠２１と下枠２２とを組み合わせ、下枠２２の背面側の末端（下部）両側に係止基部２３を固定して構成される。コ字形の上枠２１と下枠２２は、相互に摺動可能に嵌合される角パイプから構成され、角パイプを相互に摺動させることにより高さを調整する。そして、高さを調整した状態で、固定ねじにより両側の角パイプを締め付け、保持枠２０の高さ方向の幅が固定される。上枠２１と下枠２２の水平部分には、チャンネル材からなる水平枠部２１ａ，２２ａが上下に向かい合うように固定され、この水平枠部２１ａ，２２ａの間に、商品情報パネルＰが着脱可能に挿入され保持される。
【００２６】
係止基部２３は、上記と同様に、金属板を所定の形状に裁断し、曲折して形成される。つまり、係止基部２３は、取付板２３ａとなる矩形部を中心に、左右両側の側板２３ｂ、２３ｂを背面側に直角に曲げ、さらに、上面板と下面板２３ｃを背面側に曲げて形成され、矩形の取付板２３ａの上部が、保持枠２０の末端部に溶接により固定される。両側の側板２３ｂ、２３ｂは、下向きに開口した開口凹部を持って形成され、矩形断面を持つ角パイプの支持ビーム３と嵌合する３個の第一嵌合部Ｋ１、第二嵌合部Ｋ２、第三嵌合部Ｋ３が形成される。
【００２７】
両側の側板２３ｂ、２３ｂは、下方に開口したフック形状に形成され、その側板２３ｂ、２３ｂの内側に３個の第一嵌合部Ｋ１、第二嵌合部Ｋ２、第三嵌合部Ｋ３が、各々その角度を変えて、矩形断面の支持ビーム３を保持する部分を持つように形成される。第一嵌合部Ｋ１は、保持枠２０を支柱２の軸方向（鉛直方向）に対し例えば角度１５度の傾斜角度で嵌合保持するように、矩形凹部をその角度に形成して構成される。
【００２８】
さらに、両側の側板２３ｂ、２３ｂ内には、第二嵌合部Ｋ２が、保持枠２０を支柱２の軸方向に対し、例えば角度３０度の傾斜角度で嵌合保持するように、矩形凹部をその角度に形成して構成される。さらに、両側の側板２３ｂ、２３ｂ内には、第三嵌合部Ｋ３が、保持枠２０を支柱２の軸方向に対し、例えば角度４５度の傾斜角度で嵌合保持するように、矩形凹部をその角度に形成して構成される。
【００２９】
この第三嵌合部Ｋ３は、上記の第一、第二嵌合部と一部で重なり合って形成される。係止基部２３の下面の下面板２３ｃには、ねじ孔が穿設され、そのねじ孔に固定ねじ２６がねじ込まれる。固定ねじ２６は係止基部２３の下側開口部から相対的に挿入された支持ビーム３の底面をねじの先端で押えて、支持ビーム３を相対的に固定する。
【００３０】
このように構成された板状物保持枠２０は、図１１、図１２に示すように、陳列什器の上端部の支持ビーム３に嵌め込み、商品情報を記載した商品情報パネルＰを陳列什器の上部で陳列保持するために使用される。陳列什器の支柱２と支柱２間に水平に固定された最上部の支持ビーム３に対し、板状物保持枠２０を角度を変更可能に取り付けるが、この場合、板状物保持枠２０の係止基部２３の固定ねじ２６を緩めた状態として、係止基部２３の凹状の嵌合部内に支持ビーム３を挿入するように、係止基部２３を支持ビーム３にその上から嵌め合わせ、取り付ける。この場合、板状物保持枠２０の鉛直方向に対する前方に傾斜した角度は、例えば１５度、３０度、４５度の中から選択して決めることができる。
【００３１】
例えば、支柱２の軸方向に対し３０度の前方傾斜角度で取り付ける場合、係止基部２３内の第二嵌合部Ｋ２に支持ビーム３を挿入するように、フック状の係止基部２３の凹部を支持ビーム３に嵌め込む。そして、固定ねじ２６を締め付けて支持ビーム３の底面をねじの先端で押して固定する。これにより、板状物保持枠２０はその末端の係止基部２３によって支持ビーム３に対し確実に係止され、取り付けられる。
【００３２】
商品情報を記載した商品情報パネルＰは、図１２に示すように、板状物保持枠２０の上部と下部の水平枠部２１ａ，２２ａの間に挿入保持され、顧客に対して陳列・表示される。そして、この商品情報パネルＰの表示角度は、板状物保持枠２０の支持ビーム３に対する装着角度を、嵌め変えて変更することができ、顧客には陳列什器の高さなどに応じて商品情報パネルＰを見やすく表示することができる。
【００３３】
【発明の効果】
以上説明したように、本発明の請求項１の板状物陳列用保持具によれば、１種類の板状物保持棒を製造するのみで良いため、低コストで製造することができる。また、板状物保持棒を支持ビームに係止する係止基部には、略フック形状で下向きに開口した嵌合部が設けられ、嵌合部は、板状物保持棒が水平に対する複数の傾斜角度で支持ビームに係止可能に形成されているから、板状物保持棒を支持ビームに装着する際、１種類の板状物保持棒であっても、使用者はその保持棒を装着する高さ位置に応じて、例えば、高さが高い位置では板状物保持棒の水平に対する傾斜角度を大きくして装着し、高さが低い位置では保持棒の傾斜角度を小さくして装着するようにして、顧客が見やすい角度で板状物を陳列することができる。
【００３４】
また、請求項２の板状物陳列用保持具によれば、板状物保持枠を支持ビームに係止する係止基部には、略フック形状で下向きに開口した嵌合部が設けられ、嵌合部は、板状物保持枠が複数の傾斜角度で支持ビームに係止可能に形成されているから、板状物保持枠を支持ビームに装着する際、１種類の板状物保持枠であっても、使用者はその保持枠に保持させる例えば商品情報パネルなどの表示角度を、陳列什器の高さ位置などに応じて変更することができ、顧客が見やすい角度で商品情報パネルなどの板状物を陳列表示することができる。
【図面の簡単な説明】
【図１】本発明の一実施形態を示す保持具の板状物保持棒の左側面図である。
【図２】同板状物保持棒の正面図である。
【図３】同保持棒の平面図である。
【図４】板状物陳列用保持具を陳列什器に取り付けた状態の左側面図である。
【図５】板状物陳列用保持具の部分斜視図である。
【図６】板状物保持棒を１５度で支持ビームに取り付けた状態の左側面図である。
【図７】板状物保持棒を３０度で支持ビームに取り付けた状態の左側面図である。
【図８】板状物保持棒を４５度で支持ビームに取り付けた状態の左側面図である。
【図９】他の実施形態の板状物保持枠２０の側面図である。
【図１０】同板状物保持枠２０の背面図である。
【図１１】同板状物保持枠２０の斜視図である。
【図１２】同板状物保持枠２０を陳列什器に取り付けた状態の右側面図である。
【符号の説明】
１−板状物陳列用保持具
２−支柱
３−支持ビーム
６−固定ねじ
１０−板状物保持棒
１１−保持棒
１２−先端支持部
１３−係止基部
１３ａ−取付板
１３ｂ−側板
１３ｃ−下面板
Ｋ１−第一嵌合部
Ｋ２−第二嵌合部
Ｋ３−第三嵌合部
【図１】
2004049400.tif 000003
【図２】
2004049400.tif 000004
【図３】
2004049400.tif 000005
【図４】
2004049400.tif 000006
【図５】
2004049400.tif 000007
【図６】
2004049400.tif 000008
【図７】
2004049400.tif 000009
【図８】
2004049400.tif 000010
【図９】
2004049400.tif 000011
【図１０】
2004049400.tif 000012
【図１１】
2004049400.tif 000013
【図１２】
2004049400.tif 000014